(57)【要約】【課題】駆動回転工具と切削部材との接続構造の破損を防止する。【解決手段】駆動回転工具と、駆動回転工具に接続して使用する切削部材とを接続する切削部材接続構造である。切削部材接続構造は、収容部と、固定部とを備える。収容部は、駆動回転工具の差込角が挿入されることにより差込角を収容可能である。固定部は、収容部の開口と反対側の面に設けられ、切削部材を固定する。【選択図】図１
2015223659.tif 000002
【特許請求の範囲】
【請求項１】
駆動回転工具と、駆動回転工具に接続して使用する切削部材とを接続する切削部材接続構造であって、
開口から前記駆動回転工具の差込角を挿入することにより、差込角を収容可能な収容部と、
前記開口と反対側の面に設けられ、前記切削部材を固定するための固定部と、を備えた
ことを特徴とする切削部材接続構造。
【請求項２】
前記切削部材が前記固定部に固定されたとき、前記収容部における前記切削部材側の面の少なくとも一部と、前記切削部材における前記収容部側の面の少なくとも一部とが面接触する
ことを特徴とする請求項１記載の切削部材接続構造。
【請求項３】
前記切削部材は、ステップドリルであり、
前記固定部は、前記ステップドリルにおける先端に対する後端に螺着する雄ねじ、または雌ねじである
ことを特徴とする請求項１または２に記載の切削部材接続構造。
【請求項４】
前記収容部は、前記差込角の先端面の形状に対応した形状をなす前記開口から、その内部に該差込角を挿入可能であり、
前記開口は、角部より辺が内側に凹んでいる
ことを特徴とする請求項１〜３のいずれか１項に記載の切削部材接続構造。
【請求項５】
前記収容部における最奥部と、前記固定部とが近接している
ことを特徴とする請求項１〜４のいずれか１項に記載の切削部材接続構造。
【請求項６】
請求項１〜５のいずれか１項に記載の切削部材接続構造により接続される、切削部材の前記固定部側の面には、前記固定部の雄ねじまたは雌ねじに対応する、雌ねじまたは雄ねじが設けられている
ことを特徴とする切削部材。
【請求項７】
駆動回転工具に接続されて使用される切削部材であって、
駆動回転工具の差込角を収容することにより、該駆動回転工具と接続される収容部と、
前記収容部と一体的に形成され、駆動回転工具から出力された回転駆動力を受けて回転されることにより、対象物の切削に用いられる切削部と、を備えた
ことを特徴とする切削部材。
【請求項８】
前記駆動回転工具はインパクトレンチであることを特徴とする請求項７に記載の切削部材。
【請求項９】
前記切削部材は、ホールソー、またはコアドリルであり、
前記収容部は、前記ホールソーまたはコアドリルにおける先端に対する後端側に設けられている
ことを特徴とする請求項７または８に記載の切削部材。
【請求項１０】
前記収容部は、前記差込角の先端面の形状に対応した形状をなす開口から、その内部に該差込角を挿入可能であり、
前記開口は、角部より辺が内側に凹んでいる
ことを特徴とする請求項７〜９のいずれか１項に記載の切削部材。
【発明の詳細な説明】
【技術分野】
【０００１】
本発明は、駆動回転工具に切削部材を取り付けるための接続構造に関する。
【背景技術】
【０００２】
駆動回転工具は、その先端部に切削部材や締付部材が接続されることにより、対象物の切削や、ボルトまたはナットの締付等の作業に用いられる。駆動回転工具には、インパクトレンチ、インパクトドライバ、ドリルドライバ等の電動回転工具、あるいはエアインパクト等、様々な種類がある。
【０００３】
駆動回転工具は、内蔵バッテリー、商用電源またはエアコンプレッサー等から供給された電気や圧縮空気を動力源として、内蔵されたモーター等を回転させる。それにより、アンビル等を介してその先端部が回転され、当該先端部に接続された、ソケットやビット等が回転される。ビットの一端は駆動回転工具に嵌入され、他端には切削、研磨または締付等、用途に応じて、ドリルチャック、コアドリル、ステップドリル、ホールソー等の切削工具等が接続される。ソケットは、一端側に駆動回転工具の差込角（先端の突部）を受け容れる凹部を有し、他端側にナットやボルト等が挿入されることにより接続される。またソケットの一端側は、凹部に限られず、ビットが設けられたり、ビットが接続可能であったりする場合もある。
【０００４】
駆動回転工具の動力源は、その想定される使用場所や用途に応じて異なる。例えば、自動車のタイヤの取り付け作業にエアインパクトが用いられる。
【０００５】
エアインパクトは、エアコンプレッサーにホースを介して接続され、エアコンプレッサーからの気流に基づきモーターを回転させることにより、差込角に接続された締付部材（ソケット等）に回転トルクを与える。しかしながら、このように駆動回転工具と動力源とが、ホースや電源ケーブルのような配線を介して接続される場合、駆動回転工具を使用する範囲が制限される。この点、バッテリーが内蔵された電動回転工具は、動力源が電動回転工具自体に内蔵されているので、その使用範囲が制限されにくい。このようなバッテリーが内蔵された駆動回転工具は、例えば高所作業で用いられる。
【０００６】
また、高所作業で用いられる駆動回転工具においては、構成部品の落下についても配慮がされている。例えば、電動回転工具の先端部に接続される各部材は、高所から落下すると他の作業者の安全に支障をきたすおそれがあるため、落下の防止措置が講じられている。特に切削部材は、鋭利な部分が設けられている場合があり、高所から落下すると他の作業者の安全に支障をきたすおそれが高い。
【先行技術文献】
【特許文献】
【０００７】
【特許文献１】特表平８−５０４６８５号公報
【発明の概要】
【発明が解決しようとする課題】
【０００８】
高所作業中に、接続された切削部材が、駆動回転工具の先端部から外れ、作業現場から落下してしまう原因の一例として、ビット等の軸部材の耐久性による破損の問題がある。すなわち、特許文献１のように、従来の切削部材は、多角形もしくは丸軸のビットまたはＳＤＳ（登録商標）のような軸部材を介して駆動回転工具に接続される。また駆動回転工具に接続された切削部材には、軸部材を介して大きな回転トルクがかけられる。このとき軸部材の直径より、切削部材や締付部材の直径が大きければ大きいほど軸部材には局所的に応力が集中する。
【０００９】
例えば、切削部材の軸中心と、接続のための軸部材の中心とを完全に一致させることは困難であり、切削部材と軸部材とが偏心していると、偏心したまま軸部材および切削部材が回転される。この場合、切削部材や軸部材には、ねじり荷重やせん断荷重等が組み合わされた荷重がかかって歪みが生じる。特に切削部材より軸部材が小径である場合、軸部材に応力集中が起こる。
【００１０】
また、ビットのような軸部材は使用していくうちに、表面に摩耗変形が生じる。摩耗変形が発生した表面には、応力集中が起こり、この原因によっても軸部材が破損しうる。
【００１１】
したがって、従来のような駆動回転工具に軸部材で接続する構造の切削部材では、複数回の使用により軸部材が破損してしまうおそれがある。このような問題に対し、従来、ビットやＳＤＳの改良がなされてきたが、いずれも軸部材の破損による問題を、根本的に解決するものではなかった。
【００１２】
この発明は、上記課題に鑑みてなされたものであり、その目的は駆動回転工具と切削部材との接続構造の破損を防止することにある。
【課題を解決するための手段】
【００１３】
上記課題を解決するための本発明の一形態は、駆動回転工具と、駆動回転工具に接続して使用する切削部材とを接続する切削部材接続構造である。切削部材接続構造は、収容部と、固定部とを備える。収容部は、駆動回転工具の差込角が挿入されることにより差込角を収容可能である。固定部は、収容部の開口と反対側の面に設けられ、切削部材を固定する。
また上記課題を解決するための本発明の他の形態は、駆動回転工具に接続して使用される切削部材である。切削部材は、収容部と切削部とを備える。収容部は、駆動回転工具の差込角を収容することにより、駆動回転工具と接続される。切削部は、収容部と一体的に形成され、駆動回転工具から出力された回転駆動力を受けて回転されることにより、対象物の切削に用いられる。
【発明の効果】
【００１４】
本発明の各形態は、駆動回転工具の差込角を収容する収容部を備える。このような構成によれば、従来のような軸部材を介して駆動回転工具と切削部材とを接続する構成と比較して、切削部材の接続部分の応力集中による破損を防止することが可能である。
【図面の簡単な説明】
【００１５】
【図１】第１実施形態における切削部材接続構造の一例を示す概略斜視図。
【図２】第１実施形態における切削部材接続構造の一例を示す概略上面図。
【図３】第１実施形態における切削部材接続構造の一例を示す概略正面図。
【図４】第１実施形態における切削部材接続構造の一例を示す概略左側面図。
【図５】第１実施形態における切削部材接続構造の一例を示す概略右側面図。
【図６】図３の概略Ａ−Ａ’断面図。
【図７】第２実施形態における切削部材接続構造の一例を示す概略斜視図。
【図８】第２実施形態における切削部材接続構造の一例を示す概略上面図。
【図９】第２実施形態における切削部材接続構造の一例を示す概略正面図。
【図１０】第２実施形態における切削部材接続構造の一例を示す概略左側面図。
【図１１】第２実施形態における切削部材接続構造の一例を示す概略右側面図。
【図１２】図９の概略Ｂ−Ｂ’断面図。
【図１３】変形例における切削部材接続構造の一例を示す概略斜視図。
【図１４】変形例における切削部材接続構造の一例を示す概略上面図。
【図１５】変形例における切削部材接続構造の一例を示す概略正面図。
【図１６】図１５の概略Ｃ−Ｃ’断面図。
【図１７】第３実施形態における切削部材接続構造の一例を示す概略左側面図。
【図１８】第３実施形態における切削部材接続構造の一例を示す概略断面図。
【図１９】変形例における切削部材接続構造の一例を示す概略断面図。
【発明を実施するための形態】
【００１６】
図１〜図１９を参照して、第１実施形態〜第３実施形態にかかる切削部材にかかる接続構造について説明する。
【００１７】
［第１実施形態］
第１実施形態にかかる切削部材接続構造１００の全体構成について図１〜図６を参照して説明する。図１〜５において、第１実施形態にかかる切削部材接続構造１００の、斜視、上面、正面、右側面、左側面の概略を示す。また図６において、切削部材接続構造１００の断面を示す。この図６に示す断面図は、切削部材接続構造１００の軸方向に沿ったものであり、具体的には、図３のＡ−Ａ’断面である。
【００１８】
なお、当該各図および以下の説明において、切削部材接続構造１００に接続される切削部材の軸方向を左右方向とする。また、その左右方向を基準として上下方向、前後方向を説明する。また、切削部材接続構造１００の前側の面を「正面」、正面の反対側の面を「背面」と説明することがある。ただし、これら各方向は、実施形態の説明の便宜上設定されたものであり、切削部材接続構造１００の使用状態等を特定しようとするものではなく、上下、前後、左右は、その時の状態により適宜変更されうるものである。
【００１９】
（駆動回転工具）
また、以下において切削部材接続構造１００に接続される対象として適宜、駆動回転工具の説明をする。この駆動回転工具は、インパクトレンチ、あるいはエアインパクト等、その先端部に差込角を有するものとする。このような駆動回転工具は、所定の駆動源からの駆動力（電気、圧縮空気等）により、当該差込角等を回転させる。以下、切削部材接続構造１００の説明のため、駆動回転工具の一例として、バッテリーが内蔵されたインパクトレンチについて説明する。このようなインパクトレンチは、エアインパクト等と比較して、その使用場所、範囲が制限されないため、例えば高所作業等にも使用することができる。
【００２０】
駆動回転工具には、切削部材等を回転させるために、駆動源からの回転駆動力を受けて回転される先端部として、差込角が設けられている。差込角は、駆動回転工具から突出する凸形状に形成される。具体例として、差込角は、直方体等に形成される。このような駆動回転工具の差込角には、１／４インチ（約６．３５ｍｍ）、３／８インチ（約９．５ｍｍ）、１／２インチ（約１２．７ｍｍ）等の規格で定められたサイズによって様々な種類がある。実施形態の切削部材接続構造１００は、その耐久性等を鑑みて、例えば１／２インチ（約１２．７ｍｍ）等の規格の差込角が接続される。また、差込角には、切削部材接続構造１００を保持するための、貫通孔が設けられている。詳細は後述する。
【００２１】
（切削部材）
また、以下における切削部材としては、ドリルチャック、コアドリル、ステップドリル、ホールソー等が挙げられる。これら切削部材は、駆動回転工具と接続された状態で、駆動回転工具から出力された回転トルクを受けて回転されることにより、対象物の切削に用いることができる。また一例として、これら切削部材は、その軸方向と実質的に直交する方向の長さ（直径、幅）が、従来のビットやＳＤＳ等より、長い（大径である）ものとして説明する。
【００２２】
（切削部材接続構造の概要）
図１〜図４に示す例において、切削部材接続構造１００は、インパクトレンチ等の駆動回転工具と、切削部材とを接続するための接続部材である。切削部材接続構造１００は、本体部１１０と、本体部１１０に接続された固定部１１１とを有する。本体部１１０において駆動回転工具の差込角をその内部に受け容れることにより、切削部材接続構造１００と駆動回転工具とが接続される。固定部１１１は、本体部１１０における、駆動回転工具と接続される側と反対側に設けられ、切削部材接続構造１００と切削部材との接続に用いられる。
【００２３】
＜本体部＞
図１に示すように、切削部材接続構造１００の一例において、本体部１１０は円柱状に形成されている。また図１〜４に示すように、その円柱状の本体部１１０の一端側には、切削部材を固定する固定部１１１が設けられている。また本体部１１０の他端側には、駆動回転工具の差込角を収容する収容部１１２が設けられている。なお、下記の本体部１１０および収容部１１２は、本発明の「収容部」の一例に該当する。
【００２４】
《固定部》
固定部１１１は、図２および図３等に示す例において、本体部１１０の一端面から突出する雄ねじである。また図４に示すように、固定部１１１は、駆動回転工具により回転される本体部１１０の軸中心と、中心を共有している。このような固定部１１１は、切削部材に設けられた雌ねじ部に螺合（螺着）することにより、切削部材の後端部を固定する。また、固定部１１１のネジ山は、切削部材の回転方向と逆方向に設けられる。例えば、切削部材の回転方向が右回転であれば、ネジは左ねじとなる。
【００２５】
なお、固定部１１１の構成としてはこのような構成に限られず、上記本体部１１０の一端面に設けられた雌ネジ部であってもよい。ただし、固定部１１１を雄ねじ部として構成する場合、固定部１１１が雌ねじ部である構成と比較して、次のようなメリットがある。
【００２６】
例えば切削部材側に雄ねじを設けると、固定部１１１に当該雄ねじに螺合する雌ねじを設ける必要が生じる。この点、図６を参照すると明らかなように、本体部１１０に雌ねじ部を設けた分、切削部材接続構造１００の軸方向の長さが長くなる。作業者にとって、差込角から切削部材の先端に至るまでの長さが、長ければ長くなるほど、切削作業における取り回しが悪くなる。その結果、切削作業の効率が悪化、あるいは作業負担が増大する。
【００２７】
これに対し、回転軸方向において、切削部材は、切削部材接続構造１００に対して少なくとも２倍以上の長さを有する。したがって、切削部材側に雌ねじ部を設けても、差込角（すなわち切削部材接続構造１００の後端部（開口部）側）から、切削部材の先端部までの長さに影響しにくい。このような観点から、切削部材接続構造１００においては、固定部１１１が雄ねじとして構成されている。その結果、図示の通り、収容部１１２の最奥部と、固定部１１１の基端とを近接させ、その長さをできる限り短くすることが可能である。
【００２８】
また、固定部１１１の構成としてはこのような構成に限られず、上記切削部材接続構造１００と切削部材とをボールジョイントにより固定する構成であってもよい。
【００２９】
固定部１１１と切削部材とが接続されると、本体部１１０の切削部材側の面の少なくとも一部と、切削部材における本体部１１０側の面とが面接触する。このような構成によれば、従来の軸部材で接続された切削部材接続構造と比較して、応力は接触面に分散し、局所的な応力集中を防止することが可能である。
【００３０】
《収容部》
上述のように、本体部１１０における、固定部１１１が設けられた一端面に対する他端面には、収容部１１２が設けられている。例えば図２の破線部、図３の破線部および図４に示すように、本体部１１０の他端面は開口しており、その開口から本体部１１０の軸方向における当該一端面側（固定部１１１の先端）へ向かう方向に窪んだ凹形状の空間が設けられている。この空間には、駆動回転工具の差込角が収容される。本体部１１０において、この空間を画成する領域を収容部１１２と説明する。
【００３１】
収容部１１２の形状は、駆動回転工具の差込角の外形に対応するように形成される。上記の例のように、差込角が直方体形状であれば、収容部１１２の形状は、直方体形状に応じた形状に形成される。ただし、本実施形態における切削部材接続構造１００においては、収容部１１２の開口および内部空間を形成する側面が例えば、図５のように形成される。
【００３２】
この収容部１１２の開口の形状について図５を参照して説明する。図５に示すように、この開口は、角部より辺が内側に窪んでいる。具体的には、長方形の角部の角が取られて角が弧状に形成され、四辺の中央位置を中心に内側に湾曲している。これは、収容部１１２に収容される差込角の側面を、角部でなく、辺あるいは面の部分で保持しようとするものである。これにより差込角の回転時に、差込角の角部が収容部１１２の角部分に接触しがたく、収容部１１２の角部の摩耗を防止することができる。
【００３３】
収容部１１２は、この開口の形状を維持したまま、本体部１１０の内側に凹んでおり、収容部１１２の内部空間を形成する内側の４つの側面（正面側、背面側、上面側、下面側）は、本体部１１０の軸方向に対し、ほぼ勾配なく平行に形成されている（図６参照）。当該軸方向における、これら内側の４つの側面の長さ（奥行）は、差込角が駆動回転工具から突出する長さに対応して形成される。
【００３４】
《溝部》
図１〜図３および図６に示すように、円柱状の本体部１１０には、外周面に沿った溝部１１０ａが設けられている。また図１，図２および図６に示すように、本体部１１０の溝部１１０ａには、本体部１１０の軸方向に直交（実質的に直交）し、収容部１１２を通り、反対側（対向する）面を貫通する貫通孔１２０ａが設けられている。一般に、インパクトレンチ等の駆動回転工具の差込角の一側面と反対側の側面には、差込角の突出方向に直交する方向に、固定用の貫通孔が設けられている。したがって、切削部材接続構造１００の本体部１１０の貫通孔１２０ａは、収容部１１２に収容された差込角における当該貫通孔に対応する位置に設けられる。
【００３５】
すなわち、収容部１１２に差込角が収容されている状態で、溝部１１０ａの貫通孔１２０ａの一方の開口から、差込角固定用のピンが通されると、対応する位置にある差込角の貫通孔にも当該ピンが通される。このピンは、差込角を一方の貫通孔１２０ａにおける他方の開口（溝部１１０ａの反対側）または開口近傍まで到達する。この状態において、作業者等が、溝部１１０ａの形状に対応した円環状のピン固定部材（いわゆる固定バンド）を溝部１１０ａに嵌るように係合させると、溝部１１０ａごと貫通孔１２０ａが塞がれる。その結果、ピンが貫通孔１２０ａに保持される。このようにしてピンが貫通孔１２０ａに保持されることにより、切削部材接続構造１００と差込角とが固定される。なお、上記円環状のピン固定部材は、ゴム等の弾性部材である。
【００３６】
また、切削部材接続構造１００と差込角との固定は、上記構成に限られない。例えば、貫通孔１２０ａおよび差込角の貫通孔を通るサイズのワイヤ部材（いわゆるインパクトレンチ用Ｃリング）を、貫通孔１２０ａおよび差込角の貫通孔に通して、両者の固定を行ってもよい。また、貫通孔による固定でなく、ボールジョイント等の固定方法であってもよい。
【００３７】
駆動回転工具の差込角と、切削部材接続構造１００とは、少なくとも差込角の側面と、収容部１１２の内側の面とで面接触するので、応力は分散し、局所的な応力集中を防止することが可能である。
【００３８】
（作用・効果）
第１実施形態の切削部材接続構造１００によれば、差込角を収容し、差込角の側面と面接触する収容部１１２が設けられている。このような構成によれば、差込角と切削部材接続構造１００との間の接続において、局所的な応力集中を防止することが可能である。さらに切削部材接続構造１００によれば、切削部材における後端面と面接触しつつ固定部１１１で切削部材を固定する。このような構成によれば、切削部材と切削部材接続構造１００との間の接続において、局所的な応力集中を防止することが可能である。
【００３９】
小径の軸部材であり、かつ駆動回転工具および切削部材との接触面が少ない、従来のようなビット、ＳＤＳといった軸部材では、構造的に局所的な応力集中を回避することが困難であった。また、構造的に局所的な応力集中を回避することが困難であったため、従来は軸部材に特殊な加工、材料等を使用することで耐久性を確保しようとしており、コストがかかっていた。また、これらの解決手段では、軸部材の耐久性を確保することが困難であった。これに対し、本実施形態における切削部材接続構造１００は、構造的に応力集中を回避することができるため、接続構造の耐久性を大幅に向上させることが可能となった。
【００４０】
さらにビット等の軸部材は、切り欠き（くびれを含む）を有する。切欠きがあると、その部分に応力が集中し、大きくなる。すなわち、切欠きがないものより耐久性が低く、折れ等の破損が生じる原因となる。切削部材接続構造１００では駆動回転工具からの回転駆動力による応力がかかることが想定される箇所においては切り欠きを設ける必然性がない。この点においても、切削部材接続構造１００は、回転駆動力による応力集中等で破損するおそれを防止している。
【００４１】
さらに、従来の小径の軸部材では、局所的な応力集中を防ぐため、回転軸方向において所定の長さを確保する必要があった。これに対し、切削部材接続構造１００は回転軸方向の長さを確保しなくても、上述の通り構造的に局所的な応力集中を防止している。したがって、差込角から切削部材の先端までの長さを可能な限り短くできる。
【００４２】
駆動回転工具を使用した切削作業の作業者にとって、差込角から切削部材の先端までの長さを可能な限り短くできる。したがって、切削作業における取り回しを改善し、作業効率の向上、作業負担の軽減を図っている。また、高所作業をする作業者は、破損等により、切削部材が駆動回転工具から外れてしまうことを想定し、切削部材と駆動回転工具とを粘着テープ等で巻回しえ固定している。従来は、高所作業中に破損等により、切削部材が駆動回転工具から外れてしまうと、巻かれた粘着テープを外し、さらに、折れたビット等の軸部材を、駆動回転工具から取り外す等の作業をしなければならなかった。これらの作業は非常に煩雑であり、高所作業の負担増大、作業効率の悪化を招いていた。しかしながら、本実施形態における切削部材接続構造においては、まず、破損等を従来の軸部材より大幅に軽減させており、またビット等の軸部材と異なり、駆動回転工具と切削部材接続構造との固定構造が簡易かつ確実である。したがって、従来のような高所作業の負担増大、作業効率の悪化は、この点においても、解消されている。
【００４３】
［第２実施形態］
第２実施形態にかかる切削部材２００の全体構成について図７〜図１２を参照して説明する。図７〜１１において、第２実施形態にかかる切削部材２００の、斜視、上面、正面、右側面、左側面の概略を示す。また図１２において、切削部材２００の断面を示す。この図１２に示す断面図は、切削部材２００の軸方向に沿ったものであり、具体的には、図９のＢ−Ｂ’断面である。
【００４４】
なお、当該各図および以下の説明において、切削部材２００の軸方向を左右方向とする。第１実施形態と同様に、その左右方向を基準として上下、左右、正面、背面の説明を行う場合がある。ただし、上下、前後、左右は、その時の状態により適宜変更されうるものである点も第１実施形態と同様である。
【００４５】
以下の説明において、第１実施形態と重複する説明は割愛する。
【００４６】
（切削部材）
第２実施形態における切削部材２００は、切削部材接続構造１００のような、別体の接続構造（アタッチメント部材）を介さず、直接、駆動回転工具の差込角に接続される。すなわち、切削部材２００は、切削部分と、駆動回転工具への接続構造部分とを有する。図７に示すように、切削部材２００において接続構造部分と、切削部材とは、鍛造等により一体的に形成される。
【００４７】
《収容部》
図７〜図１２に示すように、切削部材２００において切削側部分の先端（図８および図９における切削部材２００の左端）に対する他端面には、収容部２１２が設けられている。なお、収容部２１２は、第１実施形態における収容部１１２と同様の構成を有するものである。したがって、切削部材２００の後端面（駆動回転工具の差込角側の面）は、切削部材２００の切削先端部に向かって開口しており、その開口から凹形状の空間が設けられ、駆動回転工具の差込角が収容される。
【００４８】
収容部２１２の形状は、駆動回転工具の差込角の外形に対応してするように形成される。上記の例のように、差込角が直方体形状であれば、収容部２１２の形状は、直方体形状に応じた形状に形成される。ただし、本実施形態における切削部材接続構造２００においては、収容部２１２の開口および内部空間を形成する側面が例えば、図１１のように形成される。この収容部２１２の開口の形状については、第１実施形態と同様である。つまり収容部２１２により収容される差込角の側面を、辺あるいは面の部分で保持しようとすることで、差込角の回転時に、差込角の角部が収容部２１２の角部分に接触しがたく、収容部２１２の角部の摩耗を防止することができる。また、収容部２１２の内部構造も第１実施形態の収容部１１２と同様である。
【００４９】
《溝部》
図７〜図９および図１２に示すように、切削部材２００の接続構造側は円柱状に形成されている。その切削部材２００の接続構造部分には、その外周面に沿った溝部２１０ａが設けられている。また図７，図８および図１２に示すように、当該接続構造部分の溝部２１０ａには、軸方向に直交（実質的に直交）し、収容部２１２を通り、反対側（対向する）面を貫通する貫通孔２２０ａが設けられている。これは貫通孔１２０ａと同様の構成を有するものである。
【００５０】
したがって、貫通孔２２０ａについても、上記のような各種変形が可能であり、ボールジョイント等の固定方法であってもよい。
【００５１】
駆動回転工具の差込角と、切削部材２００とは、少なくとも差込角の側面と、収容部２１２の内側の面とで面接触するので、応力は分散し、局所的な応力集中を防止することが可能である。
【００５２】
（作用・効果）
第２実施形態の切削部材２００によれば、切削部側の先端に対する後端側に、差込角を収容し、差込角の側面と面接触する収容部が設けられている。このような構成によれば、差込角と切削部材接続構造１００との間の接続において、局所的な応力集中を防止することが可能である。
【００５３】
さらに、切削部材と接続構造との固定にかかる構成が不要であるため、従来のビット等の軸部材については言うまでもなく、第１実施形態の切削部材接続構造１００と比較しても、軸方向における長さを低減することができ、さらに切削作業における取り回しを改善し、作業効率の向上、作業負担の軽減を図っている。
【００５４】
［変形例１］
第２実施形態にかかる切削部材３００の変形例について図１３〜図１６を示す。図１３〜図１５において、変形例にかかる切削部材３００の、斜視、上面、正面の概略を示す。また、右側面、左側面は第２実施形態と同様である。また図１６において、切削部材３００の断面を示す。この図１６に示す断面図は、変形例の切削部材の軸方向に沿ったものであり、具体的には、図１５のＣ−Ｃ’断面である。
【００５５】
［第３実施形態］
第３実施形態にかかる切削部材４００の全体構成について図１７および図１８を参照して説明する。第３実施形態は、第１実施形態における固定部１１１の一例の構成を変更したものである。したがって、以下の説明においては、第３実施形態の固定部４１１およびねじ４１１ａと切削部材の構造について説明する。
【００５６】
図１７は、切削部材接続構造４００の左側面図である。なお、図３に対応する第３実施形態の正面図、斜視図、上面図、右側面図は、ねじ４１１ａを除けば、第１実施形態と同様であるため、その図示を省略する。ねじ４１１ａが取り付けられた状態は、図１８に示される。図１８は、第１実施形態の図４に対応する第３実施形態の断面図である。
【００５７】
なお、当該各図および以下の説明において、切削部材４００の軸方向を左右方向とする。第１実施形態と同様に、その左右方向を基準として上下、左右、正面、背面の説明を行う場合がある。ただし、上下、前後、左右は、その時の状態により適宜変更されうるものである点も第１実施形態と同様である。
【００５８】
図１７および図１８に示すように、収容部４１２の最奥面（固定部４１１側の面）には、固定部４１１の先端面に向かって、切削部材接続構造４００の軸方向に沿って設けられた雌ねじが設けられている。この雌ねじは、本体部４１０および固定部４１１のさらに内側（切削部材接続構造４００の回転軸中心側）に設けられている。この雌ねじには、図１８に示すような、ねじ４１１ａが螺合する。ねじ４１１ａは、この雌ねじを進退可能に構成されている。
【００５９】
さらに図１８のように、ねじ４１１ａが上記雌ねじに進入されていくと、ねじ４１１ａの先端が、固定部４１１の先端面を通過する。例えば、切削部材接続構造４００と切削部材とが、固定部４１１を介して接続された後、収容部４１２の上記雌ねじから、ねじ４１１ａが進入されていく、雌ねじの先端（固定部４１１の先端面）を通過する。
【００６０】
固定部４１１の先端面を通過したねじ４１１ａは、固定部４１１と螺合された切削部材の雌ねじ（第１雌ねじ）内を通過し、その切削部材の雌ねじの最奥部に設けられた雌ねじ（第２雌ねじ）に螺合する。ここで、固定部４１１の雄ねじと、ねじ４１１ａとは逆ねじとなるように構成される。例えば、駆動回転工具の正回転方向（切削部材が進んでいく方向）と、固定部４１１の雄ねじが逆方向である場合、ねじ４１１ａのねじは駆動回転工具の正回転方向で、上記第２雌ねじと螺合する。
【００６１】
すなわち、ねじ４１１ａと固定部４１１とが、それぞれ独立に、互いに対し逆方向の回転で締まるように構成されている。したがって、切削部材接続構造４００においては、駆動回転工具により切削部材で切削を行っていくことによる、切削部材接続構造４００と切削部材との固定が弱まることを防止しており、なおかつ、切削部材を対象物から外すために駆動回転工具を逆回転させるときにも、ねじ４１１ａと切削部材との固定により、切削部材接続構造４００と切削部材との固定が弱まることを防止している。
【００６２】
［変形例２］
第３実施形態にかかる切削部材４００の変形例について図１９を示す。図１９は、この変形例２にかかる断面図である。第３実施形態においては、固定部４１１のさらに内側に設けられた雌ねじと、切削部材側に進入する、ねじ４１１ａにより、駆動回転工具の正逆回転の双方に対して固定が弱まることを防止している。しかしながら、このような構成に限られない。例えば、図１９に示すように、固定部４１１の先端面から、収容部４１２の開口に向かって、ねじ４１１ａを進入可能な雌ねじを、当該固定部４１１の先端面に設けてもよい。この変形例２においては、図１９に示すように、切削部材側から駆動回転工具側に向かって、ねじ４１１ａを、固定部４１１の先端面の雌ねじに進入させ、切削部材接続構造４００と切削部材とを固定する。
【００６３】
なお、第３実施形態およびこの変形例２における雌ねじの軸中心は、固定部４１１の軸中心と共通でなくてもよく、雌ねじが固定部４１１の軸中心周りに複数設けられていてもよい。この場合、ねじ４１１ａも複数用いられる。
【００６４】
［切削部材］
第１実施形態、第３実施形態および変形例の切削部材接続構造（１００／４００）と固定される切削部材には、切削部材接続構造との対向面において、固定部（１１１／４１１）と固定される雌ねじ（第１雌ねじ）や、ねじ４１１ａと固定される雌ねじ（第２雌ねじ）が設けられている。あるいは、固定部（１１１／４１１）が雌ねじである場合には、切削部材における、当該切削部材接続構造との対向面には、固定部と固定される雄ねじ（第１雄ねじ）や、ねじ４１１ａを通す雌ねじ（第２雌ねじ）が設けられる。
【００６５】
この発明の実施形態を説明したが、上記の実施形態は例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。例えば切削部材２００としてはステップドリルを示したが、ドリルチャック、コアドリル、ステップドリル、ホールソーに置き換えることが可能である。これら実施形態やその変形は、発明の範囲や要旨に含まれるとともに、特許請求の範囲に記載された発明とその均等の範囲に含まれる。
【符号の説明】
【００６６】
１００，４００                          切削部材接続構造
１１０，４１０                          本体部
１１０ａ，２１０ａ，３１０ａ，４１０ａ  溝部
１１０，４１０                          固定部
１１２，２１２，３１２，４１２          収容部
１２０ａ，２２０ａ，３２０ａ，４２０ａ  貫通孔
２００，３００                          切削部材
【図１】
2015223659.tif 000003
【図２】
2015223659.tif 000004
【図３】
2015223659.tif 000005
【図４】
2015223659.tif 000006
【図５】
2015223659.tif 000007
【図６】
2015223659.tif 000008
【図７】
2015223659.tif 000009
【図８】
2015223659.tif 000010
【図９】
2015223659.tif 000011
【図１０】
2015223659.tif 000012
【図１１】
2015223659.tif 000013
【図１２】
2015223659.tif 000014
【図１３】
2015223659.tif 000015
【図１４】
2015223659.tif 000016
【図１５】
2015223659.tif 000017
【図１６】
2015223659.tif 000018
【図１７】
2015223659.tif 000019
【図１８】
2015223659.tif 000020
【図１９】
2015223659.tif 000021